(57)【要約】      （修正有）【課題】一般的なガスコンロを用いていても、短時間でおいしいご飯が炊ける羽釜式省エネ型ガス炊飯器を提供する。【解決手段】羽釜式省エネ型ガス炊飯器１は、箱状のフード１１と、この箱状のフード１１の中央に設置されるガスコンロ１２と、このガスコンロ１２の上に取り付けられる五徳と、五徳を取り囲む円筒状の省エネカバー１４と、羽釜２０とから構成される。省エネカバー１４は、上端部において羽釜２０の本体外壁面との間に炎の通り道をとなる１５〜２０ｍｍの隙間を形成する高さ及び内径とされ、羽釜２０の木蓋２２には、上面に取っ手２４を備える重り２３が固定される。【選択図】図１
0003145263.tif 000002
【実用新案登録請求の範囲】
【請求項１】
羽釜を用いて炊飯をするためのガス炊飯器であって、以下の構成をも備えていることを特徴とする羽釜式省エネ型ガス炊飯器。
（１）ガスコンロの五徳を取り囲む円筒状の省エネカバーを備えていること。
（２）前記省エネカバーは、前記羽釜のつばの外径よりも小さな外径を有し、上端部において、前記五徳上に直に置かれた羽釜の本体外壁面との間に炎の通り道をとなる隙間を形成する高さ及び内径とされていること。
（３）前記羽釜の木蓋の中央に重りを固定すると共に、該重りの上面に取っ手を設けたこと。
（４）前記ガスコンロ、省エネカバー及び羽釜を取り囲む様に背面及び左右側面に壁を有し、前面及び上面が開放されている箱状のフードを備えていること。
【請求項２】
さらに、以下の構成をも備えていることを特徴とする請求項１記載の羽釜式省エネ型ガス炊飯器。
５）前記炎の通り道を形成する隙間を１５〜２０ｍｍとすること。
【請求項３】
さらに、以下の構成をも備えていることを特徴とする請求項１又は２記載の羽釜式省エネ型ガス炊飯器。
（６）前記ガスコンロは、小バーナーと大バーナーが同心円状に配置された二重バーナーを備えていること。
（７）炊飯開始から所定時間は前記小バーナーのみを燃焼させ、その後所定時間に渡って前記小バーナー及び大バーナーの両方を燃焼させ、炊飯終了前の所定時間については再び小バーナーのみを燃焼させる様に、複数個のランプとブザーでタイミングを支持するタイマー制御装置を備えていること。
【考案の詳細な説明】
【技術分野】
【０００１】
本考案は、羽釜を用いた省エネ型のガス炊飯器に関する。
【背景技術】
【０００２】
本来、羽釜を用いて炊飯を行うには、図１２（Ａ）に示す様なかまどが必要である（特許文献１）。しかし、薪を用いて炊飯を行うかまどを設置することは容易ではない。
【０００３】
このため、特許文献２は、羽釜式のガス炊飯器を提案している（図１２（Ｂ）参照）。
【特許文献１】実公昭３５−１１３７６号公報
【特許文献２】特開２００４−１４１６２１号公報
【考案の開示】
【考案が解決しようとする課題】
【０００４】
しかしながら、特許文献２の提案は、ガスバーナーを特殊な構造とする方法であるため、やはり普及させるには問題がある。
【０００５】
そこで、本考案は、一般的なガスコンロを用いて短時間で炊飯を行うことのできる羽釜式省エネ型ガス炊飯器を提供することを目的とする。
【課題を解決するための手段】
【０００６】
上記目的を達成するためになされた本考案の羽釜式省エネ型ガス炊飯器は、羽釜を用いて炊飯をするためのガス炊飯器であって、以下の構成をも備えていることを特徴とする。
（１）ガスコンロの五徳を取り囲む円筒状の省エネカバーを備えていること。
（２）前記省エネカバーは、前記羽釜のつばの外径よりも小さな外径を有し、上端部において、前記五徳上に直に置かれた羽釜の本体外壁面との間に炎の通り道をとなる隙間を形成する高さ及び内径とされていること。
（３）前記羽釜の木蓋の中央に重りを固定すると共に、該重りの上面に取っ手を設けたこと。
（４）前記ガスコンロ、省エネカバー及び羽釜を取り囲む様に背面及び左右側面に壁を有し、前面及び上面が開放されている箱状のフードを備えていること。
【０００７】
ここで、本考案の羽釜式省エネ型ガス炊飯器において、「（５）前記炎の通り道を形成する隙間を１５〜２０ｍｍとすること」が望ましい。
【０００８】
また、本考案の羽釜式省エネ型ガス炊飯器は、さらに、以下の構成をも備えるとよい。
（６）前記ガスコンロは、小バーナーと大バーナーが同心円状に配置された二重バーナーを備えていること。
（７）炊飯開始から所定時間は前記小バーナーのみを燃焼させ、その後所定時間に渡って前記小バーナー及び大バーナーの両方を燃焼させ、炊飯終了前の所定時間については再び小バーナーのみを燃焼させる様に、複数個のランプとブザーでタイミングを支持するタイマー制御装置を備えていること。
【０００９】
本考案の羽釜式省エネ型ガス炊飯器によれば、ガスコンロの火炎は省エネカバーによって形成された炎の通り道を介して羽釜本体を炎で効果的に包み込むことができる。そして、羽釜の木蓋に重りを取り付けることで炊飯時に発生する蒸気を羽釜内に効果的に閉じこめることもできる。この結果、短時間で炊飯を行うことができる。
【００１０】
特に、大小のバーナーを備えた二重バーナーのガスコンロを用いて、（７）の構成によるランプとブザーの指令に従って大小バーナーの燃焼・停止を操作することで、いわゆる「はじめちょろちょろなかぱっぱ」の炊飯を可能にし、短時間でカニ穴（水蒸気による通気穴）の開いたおいしいご飯を炊くことができる。
【００１１】
さらに、箱状のフードを備えているので、省エネカバーによって炎を羽釜に沿って上昇する様に導いても安全性を確保することもできている。
【００１２】
加えて、重りの上面に取っ手を設けたので、木蓋を持ち上げ難くなることもない。
【考案の効果】
【００１３】
本考案によれば、一般的なガスコンロを用いていても、ガスの炎で羽釜の本体を効果的に包むことができ、かつ、蒸気の閉じこめ効果によって短時間で炊飯を行うことができる。この結果、燃料費を節約し、急な要求にも応えることができ、かつ、おいしいご飯を迅速に提供することができる。
【考案を実施するための最良の形態】
【００１４】
次に、本考案の実施の形態について図面に基づいて説明する。実施形態の羽釜式省エネ型ガス炊飯器１は、図１〜図１０に示す様に、箱状のフード１１と、この箱状のフード１１の中央に設置されるガスコンロ１２と、このガスコンロ１２の上に取り付けられる五徳１３と、五徳１３を取り囲む円筒状の省エネカバー１４と、羽釜２０とから構成されている。
【００１５】
省エネカバー１４は、羽釜２０のつば２１の外径よりも小さな外径を有し、上端部において、五徳１３上に直に置かれた羽釜２０の本体外壁面との間に炎の通り道となる１５〜２０ｍｍの隙間Ｓを形成する高さ及び内径とされている。
【００１６】
羽釜２０の木蓋２２には、その中央に重り２３が固定されている。また、この重り２３の上面には、取っ手２４が取り付けられている。なお、重り２３としてはレンガ状の鋼塊を用いている。
【００１７】
箱状のフード１１は、ガスコンロ１２、省エネカバー１４及び羽釜２０を取り囲む様に背面及び左右側面に壁を有し、前面及び上面が開放された形状となっている。
【００１８】
ガスコンロ１２は、小バーナーと大バーナーが同心円状に配置された二重バーナーを備えている。
【００１９】
また、図１１のタイミングチャートに示す様に、Ｎｏ．１ランプ、Ｎｏ．１ブザー、Ｎｏ．２ランプ、Ｎｏ．２ブザー、Ｎｏ．３ランプ、Ｎｏ．３ブザーを作動させるタイマー制御装置（図示略）を備えている。
【００２０】
このタイマー制御装置を作動させることにより、炊飯開始から３分〜４分の範囲で設定された時間内はＮｏ．１ランプが点灯する。そして、次に３秒間Ｎｏ．１ブザーを鳴動させる。これにより、調理者は、小バーナーのみによる燃焼から大小バーナー同時燃焼への切り替えタイミングを知ることができる。
【００２１】
Ｎｏ．１ブザーを鳴動させた後は、５分〜７分の範囲で設定された時間に渡ってＮｏ．２ランプを点灯する。そして、この時間が経過するとＮｏ．２ブザーを鳴動させる。これにより、調理者は、大バーナーの燃焼停止タイミングを知ることができる。
【００２２】
Ｎｏ．２ブザーを鳴動させた後は、３分〜４分の範囲で設定された時間に渡ってＮｏ．３ランプを点灯する。そして、この時間が経過するとＮｏ．３ブザーを鳴動させる。これにより、調理者は、小バーナーの燃焼停止タイミングを知ることができる。
【００２３】
なお、ＮＯ．１〜３の３つのランプを備えることで、ブザーの鳴動を聞き漏らした場合にも現在がどの燃焼状態にすべきかを容易に判別することができる。
【００２４】
実施形態の羽釜式省エネ型ガス炊飯器１によれば、ガスコンロ１２の火炎は省エネカバー１４によって形成された炎の通り道を介して羽釜２０の本体を炎で効果的に包み込むことができる。そして、羽釜２０の木蓋２２に重り２３を取り付けることで炊飯時に発生する蒸気を羽釜内に効果的に閉じこめることもできる。そして、タイマー制御装置により、いわゆる「はじめちょろちょろなかぱっぱ」の炊飯を行うための大小バーナーの燃焼／停止のタイミングを的確に指示することができる。この結果、本実施形態の羽釜式省エネ型ガス炊飯器１によれば、１１分〜１５分程度でおいしいご飯を炊くことができる。
【００２５】
また、箱状のフード１１を備えているので、省エネカバー１４によって炎を羽釜２０に沿って上昇する様に導いても安全性を確保することもできている。加えて、重り２３の上面に取っ手２４を設けたので、木蓋２２を持ち上げ難くなるといったこともない。
【００２６】
この様に、本実施形態によれば、一般的なガスコンロを用いていても、ガスの炎で羽釜の本体を効果的に包むことができ、かつ、蒸気の閉じこめ効果によって短時間で炊飯を行うことができる。この結果、燃料費を節約し、急な要求にも応えることができ、かつ、おいしいご飯を迅速に提供することができる。
【００２７】
以上、本考案の一実施の形態について説明したが、本考案はこの実施の形態に限られるものではなく、その要旨を逸脱しない範囲内においてさらに種々の形態を採用することができることはもちろんである。
【図面の簡単な説明】
【００２８】
【図１】実施形態の羽釜式省エネ型ガス炊飯器の全体の斜視図を示し、（Ａ）は線図、（Ｂ）はイメージ図である。
【図２】実施形態の羽釜式省エネ型ガス炊飯器の羽釜を取り除いた状態の斜視図を示し、（Ａ）は線図、（Ｂ）はイメージ図である。
【図３】実施形態の羽釜式省エネ型ガス炊飯器の各構成要素のイメージ図を示し、（Ａ）は箱状のフード、（Ｂ）は五徳及び省エネカバーを取り付けたガスコンロ、（Ｃ）は羽釜のそれぞれ斜視図である。
【図４】実施形態の羽釜式省エネ型ガス炊飯器のイメージ図であって、（Ａ）は正面図、（Ｂ）は背面図である。
【図５】実施形態の羽釜式省エネ型ガス炊飯器のイメージ図であって、（Ａ）は右側面図、（Ｂ）は左側面図である。
【図６】実施形態の羽釜式省エネ型ガス炊飯器のイメージ図であって、（Ａ）は平面図、（Ｂ）は底面図である。
【図７】実施形態の羽釜式省エネ型ガス炊飯器の羽釜を取り除いた状態でのイメージ図であって、（Ａ）は正面図、（Ｂ）は背面図である。
【図８】実施形態の羽釜式省エネ型ガス炊飯器の羽釜を取り除いた状態でのイメージ図であって、（Ａ）は右側面図、（Ｂ）は側面図である。
【図９】実施形態の羽釜式省エネ型ガス炊飯器の羽釜を取り除いた状態でのイメージ図であって、（Ａ）は平面図、（Ｂ）は底面図である。
【図１０】実施形態の羽釜式省エネ型ガス炊飯器における炎の通り道となる隙間を説明する模式図である。
【図１１】実施形態の羽釜式省エネ型ガス炊飯器におけるタイマー制御装置による制御のタイミングチャートである。
【図１２】従来技術の説明図である。
【符号の説明】
【００２９】
１・・・羽釜式省エネ型ガス炊飯器
１１・・・箱状のフード
１２・・・ガスコンロ
１３・・・五徳
１４・・・省エネカバー
２０・・・羽釜
２１・・・つば
２２・・・木蓋
２３・・・重り
２４・・・取っ手
Ｓ・・・炎の通り道となる隙間
【図５】
0003145263.tif 000003
【図１】
0003145263.tif 000004
【図２】
0003145263.tif 000005
【図３】
0003145263.tif 000006
【図４】
0003145263.tif 000007
【図６】
0003145263.tif 000008
【図７】
0003145263.tif 000009
【図８】
0003145263.tif 000010
【図９】
0003145263.tif 000011
【図１０】
0003145263.tif 000012
【図１１】
0003145263.tif 000013
【図１２】
0003145263.tif 000014